(57)【要約】【課題】トイレットロールペーパーを引き出し、ペーパーの束を作り、切断し、ペーパーの束を掴み、取り出すまでをすべて片手で行えることの出来るトイレットペーパーホルダーを提供する。【解決手段】トイレットロールペーパー１を上部ペーパートレー２置き、ペーパーの端を下に垂らしてペーパー送りローラー４とペーパー押さえ棒５の間を通した後、ペーパーカッター６とペーパーガイド７の間を通し、下部ペーパートレー８の上へとペーパーを送り出してセットし、ハンドル３を回して引き出したペーパーで８の上にペーパーの束を作った後、３から手を放して６の下部あたりでペーパーを掴み、上方に持ち上げると可動した６の基部と７とでペーパーは挟まれて固定した状態となるので、６のカッター部にペーパーを押し当てることでペーパーを切断して、作ったペーパーの束を取り出し使用する。以上の動作をすべて片方の手のみで行える。【選択図】図１
2007209369.tif 000002
【特許請求の範囲】
【請求項１】
トイレットロールペーパーを上方に置き、上から引き出してきたペーパーを手前に通す、固定されたペーパーガイドと、ペーパーガイドの手前に縦方向に限られた角度内で回転可動が可能なペーパーカッターを備えていることを特徴とし、ペーパーガイドの手前を通ってきたペーパーはペーパーカッターの裏を通るかたちでセッティングされ、トイレットロールペーパーを掴んで上方に引っ張ると可動したペーパーカッターの基部とペーパーガイドとでペーパーは挟まれて固定された状態となり、その状態でペーパーカッターのカッター部にペーパーを押し当てることでペーパーは切断できる。以上の動作を片手で行うことのできる機構を備えた、片手でトイレットロールペーパーを引き出し切断できるトイレットペーパーホルダー。
【請求項２】
トイレットロールペーパーを上方に置き、上から垂れてきたペーパーを下方に送り出すための、ペーパーが滑らない処理を施したペーパー送りローラーと、ペーパーをローラーに押し付けるための適当な重量を持ったペーパー押さえ棒と、ペーパー送りローラーを手動で回転させるためのハンドルをペーパー送りローラーの軸の一方の側面に備えていること、本発明の下部にはペーパー送りローラーとペーパー押さえ棒で挟まれて送り出されたペーパーを受ける懐の深いペーパートレーを備えていることを特徴とし、トイレットロールペーパーを、ハンドルを回して送り出してゆくとペーパートレーの上で折り返されながらペーパーの束を自然に作ることができ、ペーパーを切断した後にペーパートレーの上に乗ったペーパーの束を、ハンドルを操った側の手で取り出すことのできる請求項１記載の片手でトイレットロールペーパーを引き出し切断できるトイレットペーパーホルダー。
【発明の詳細な説明】
【技術分野】
【０００１】
本発明は、トイレットペーパーホルダーに係り、トイレットロールペーパーを引き出してペーパーの束を作り、切断して取り出すまでを片手で行える手段に関するものである。
【背景技術】
【０００２】
従来のトイレットペーパーホルダーでホルダーにセットしたトイレットロールペーパーを引き出して切断するまでの行程は、片手もしくは両手で紙を必要と思った分だけ引き出し、片手で紙を持った状態で、空いた手でトイレットロールペーパーがそれ以上回って出てこないように上部カバー越しにトイレットロールペーパーを上から押さえつけておき、紙を持った手を上部カバー先端部のエッジに当てて切断する、というように両手を使っての作業を要する。
【０００３】
上記の行程を両手で行えないことによる不都合は、片手が自由に使えない身障者の方や高齢者が使用するにあたって感じるだろうし、女性がドレスや着物などを着て、それらの服に気を使って片手が塞がってしまう場合や、親が小さな子供の用足しを手伝って片手が塞がってしまう場合などに感じるだろうと思われる他、個人的な理由、不測の事態で両手を使いづらい場合に感じる等、身近な問題でもある。
【０００４】
そのため、トイレットロールペーパーを引き出して切断するまでを片手だけで全て行う手段があれば便利であり、このことを取り上げた発明や考案も数件ある。
【０００５】
しかしこれらの発明や考案はペーパーを片手で切断する手段についてはあれこれと工夫しているものの、トイレットロールペーパーを長く引き出し、ペーパーの束を作る動作まで片手にこだわるとかえって不便に感じる場面もあるのではないかと思われるが、上記の発明や考案ではそれに対処する手段は見当たらなかった。
【０００６】
本発明は片手でトイレットロールペーパーを引き出して切断するだけでなく、長めに引き出したトイレットロールペーパーをペーパートレーの上で自然に２重〜３重の束にまとめることができ、その後ペーパーを切断してペーパーの束をペーパートレーから取り出すまでをすべて片方の手で行えるようになっている。
【特許文献１】登録実用新案第３１１５９２１号公報
【発明の開示】
【発明が解決しようとする課題】
【０００７】
解決しようとする問題点は、トイレットロールペーパーを引き出し、ペーパーの束を作り、切断し、ペーパーの束を掴み、取り出すまでをすべて片手で行えることの出来るトイレットペーパーホルダーを提供することである。
【課題を解決するための手段】
【０００８】
トイレットロールペーパーを上方に置き、その下部にペーパーを下に送り出すペーパー送りローラーと、ペーパーをローラーに押し付けるためのペーパー押さえ棒を配置してあり、ペーパーの端を垂らしてペーパー送りローラーとペーパー押さえ棒とで挟み、ハンドルを回してペーパーを下方に送り出すことができ、そのままハンドルを回してトイレットロールペーパーを送り出し続けると最下部に設置したペーパートレーの上で折り返されながらペーパーの束を自然に作ることができる。
【０００９】
ペーパーカッターとペーパーガイドを上記ペーパー送りローラーと上記ペーパー押さえ棒の下部に配置してあり、上記ハンドルから手を離してペーパーカッターの下部あたりでペーパーを掴み、上方に持ち上げると可動したペーパーカッターの基部とペーパーガイドとでペーパーは挟まれて固定された状態となり、その状態でペーパーカッターのカッター部にペーパーを押し当てることでペーパーは切断できる。
【００１０】
切断した後にペーパートレーの上に乗ったペーパーの束を、ペーパーを切断した側の手で掴み、取り出すことができ、上記からのすべての動作を片側の手で行うことが可能で、課題を解決するための手段となる。
【発明の効果】
【００１１】
本発明は、トイレットロールペーパーを引き出して切断し、取り出すまでのすべての動作を片手で行えることで、片手が自由に使えない身障者の方や高齢者、女性がドレスや着物などを着て、それらの服に気を使って片手が塞がってしまう場合や、親が小さな子供の用足しを手伝って片手が塞がってしまう場合などの他、不測の事態で片方の手しか使えない場合の不便さを解消する。
【発明を実施するための最良の形態】
【００１２】
トイレットロールペーパーを上方に置く上部ペーパートレーがあり、直下に手動で回転させるハンドル付きのペーパーの滑り止め処理を施したペーパー送りローラーと、ペーパーをローラーに押し付けるための適当な重量を持ったペーパー押さえ棒を設置した、上部トレーから垂れ下がったトイレットロールペーパーを下方に送り出す部位があり、その下部にはペーパーカッターとペーパーガイドを設置したペーパーを切断する部位があり、そのさらに下部にはペーパーを受ける懐の深い下部ペーパートレーを配置した形態のトイレットペーパーホルダーとし、ローラーの逆回転防止機構が付いていることや、本発明を設置するトイレの壁の位置や使い勝手によって、本発明は左右の配置を変えられるようにできることが望ましい。
【実施例１】
【００１３】
図１は本発明の１実施例を示した説明図で、１はトイレットロールペーパー、２は上部ペーパートレー、３はハンドル、４はペーパー送りローラー、５はペーパー押さえ棒、６はペーパーカッター、７はペーパーガイド、８は下部ペーパートレー、９はトイレットペーパーホルダー本体の側板である。
【００１４】
本発明の１実施例は上記の如き部位で構成され、まず１を２に置き、ペーパーの端を下に垂らして４と５の間を通した後、６と７の間を通し、８の上へとペーパーを送り出すことでセッティングが完了する。
【００１５】
３を回転させてペーパーを８へ向かって送り出し続けると、８の上でペーパーは折り返されながら、ペーパーの束を自然に作ることができる。
【００１６】
３から手を離して６の下部あたりでペーパーを掴み、上方に持ち上げると可動した６の基部と７とでペーパーは挟まれて固定された状態となる。図２はその状態を示している。ここで６のカッター部にペーパーを押し当てることでペーパーは切断できる。
【００１７】
切断した後に８上に乗ったペーパーの束を、ペーパーを切断した側の手で掴み、取り出すことができ、上記からのすべての動作を片側の手で行うことができる。
【産業上の利用可能性】
【００１８】
家庭でトイレットペーパーホルダーとして使う。
【図面の簡単な説明】
【００１９】
【図１】本発明のトイレットペーパーホルダーの実施方法を示した説明図である。（実施例１）
【図２】本発明のトイレットペーパーホルダーの実施状態を示す参考図である。（実施例１）
【符号の説明】
【００２０】
１  トイレットロールペーパー
２  上部ペーパートレー
３  ハンドル
４  ペーパー送りローラー
５  ペーパー押さえ棒
６  ペーパーカッター
７  ペーパーガイド
８  下部ペーパートレー
９  トイレットペーパーホルダー本体の側板
【図１】
2007209369.tif 000003
【図２】
2007209369.tif 000004